(57)【特許請求の範囲】
【請求項１】
茎を支持する半円状の茎支持部をそれぞれ有する第１挟持片と第２挟持片をヒンジ部で連結し、前記第１挟持片と第２挟持片の先端に両挟持片を閉じた状態で保持するロック部を形成した植物茎誘引用クリップにおいて、前記第１挟持片および第２挟持片の基部に、誘引紐をコ字状に曲げた状態で締め付ける直線状の内側紐挟み部および外側紐挟み部をそれぞれ形成し、前記内側紐挟み部と前記外側紐挟み部はそれぞれ上下２枚の板状の構成部で形成し、前記上下の板状の構成部に空隙部を設けて、前記内側紐挟み部の上下の各板は内側に、前記外側紐挟み部の上下の各板は外側にそれぞれ撓むことができるようにし、かつ、前記直線状の内側紐挟み部と前記外側紐挟み部の基端部側には、前記誘引紐がそれ以上内側に入らないように前記ヒンジ部を保護するための爪をそれぞれ設けたことを特徴とする植物茎誘引用クリップ。
【請求項２】
内側紐挟み部および外側紐挟み部の長さはほぼ第１挟持片および第２挟持片の茎支持部の長さと同程度である請求項１記載の植物茎誘引用クリップ。
【請求項３】
第１挟持片と第２挟持片の茎支持部の外側にそれぞれ指が滑りにくくするための摘み部を形成したことを特徴とする請求項１または２記載の植物茎誘引用クリップ。
【請求項４】
外側紐挟み部の表面に滑り止めを形成したことを特徴とする請求項１ないし３のいずれかの項に記載の植物茎誘引用クリップ。
【発明の詳細な説明】
【０００１】
【発明の属する技術分野】
本発明は、トマトやナス、キュウリ、メロン、ピーマンなどの植物茎を上から吊された紐に止めて誘引するクリップに関する。
【０００２】
【従来の技術】
トマトやナス、キュウリ、メロン、ピーマン等の苗の茎は、成長するにつれて上方に伸びて行くので、茎が自重や実の重みで倒れないように、旧来は添え木を立てていたが、その作業や撤去が面倒であるのと、コスト節減のため、近年では上方から誘引線を垂らして、その誘引線に茎を止めるようにしている。その止め方については各種提案されている。
誘引用の紐を直接茎に巻き付ける方法があるが、茎に誘引用の紐を巻き付けていると、収穫時に茎を処分するとき、紐を解く手間がかかるという問題がある。
【０００３】
特公平５−１５４０５号公報には、図５および図６に示すように、一端に半円弧状嘴、他端に操作部を持つ挟み片１０，２０を、中央へ膨らみ出た挟み片２０の中間腹部２３の内部支持溝２４内に、挟み片１０の中間部を嵌めて、左右対称な物干し挟み状に組合せ、垂下した柔らかい誘引線に取り付ける結束具であって、挟み片１０の中間部の背面寄りに設けた、両挟み片操作部の長穴を通り、双方の嘴の背面を押すばねと、双方の嘴先端面に設けた嘴合い段部と、挟み片１０の嘴基部から、挟み片２０の嘴内面に当たり沿うように延び出た可撓性遮蔽板１５と、挟み片２０の嘴の内周面後端から、中間腹部２３の前部へ入り込んだ誘引線４導入用スリット２５と、スリット２５を横切る支持溝２４を局部的に、スリット２５の内壁面より奥へ深めた凹部２６と、常時は凹部２６へ入り込んで誘引線を挟みくわえるよう、挟み片１０に設けた凸部１４とを備え、上記両操作部をばねに抗して寄せ合わすことにより、挟み片２０側に入り込んでいた挟み片１０の凸部１４と遮蔽板１５が、偏心した支点軸１のまわりに回って、外部の誘引線４をスリット２５へ導入する間隙を生ずるようにした植物の茎の誘引線に対する結束具が開示されている（図中の符号は、公報記載のものと同一）。
【０００４】
しかしながら、この結束具は、２つの挟み片とばねの３個の部品を要し、製品の組立コストもかかる。一般の施設園芸農家では、１ハウス当たり１５，０００個程度使用しなければならず、コストや手間の点で農家の負担が大きく、普及していない。また、スリット２５に通す紐の太さが限定されているので、誘引時に径の太い紐を使った場合、茎挟み部の先端に隙間ができ完全に閉まらなかったり、また紐自体を挟むことができないことがある。実登第３０１８０８１号登録公報に記載された茎止め用クリップも同様である。
【０００５】
図７は、従来の一体形紐誘引用クリップの唯一の公知例を示すものである。図７（ａ）は平面図、（ｂ）は正面図である。この従来例では、半円状の第１の挟持片３１と第２の挟持片３２が帯状の薄肉のヒンジ部３３で結合されており、第２挟持片３２には係合突起３５を有する可撓性のロック部３４が形成されており、また第１挟持片３１の先端部には、ロック部３４が貫通する開口３６と係合突起３５が係合する係合部３７が形成されている。そして、誘引紐をヒンジ部３３に押し込むための爪３８が形成されている。
【０００６】
この従来例のクリップを使用する場合、図８に示すように、茎３９と誘引紐４０を片手で同時に支持し、クリップをもう片方の手の指で第１挟持片３１と第２挟持片３２を開いた状態で持ちながら誘引紐４０に接近しようとするとき、すでに爪３８がヒンジ部３３を塞ごうとしており、その隙間が細いので、紐４０を爪３８の内側に入れ込むのに細心の注意が必要である。特に、農家の人には高齢者が多く、視力が弱っている者も多いので、そのような注意力を要する作業は負担が多い。この作業は、１ハウス当たり１５，０００個も必要であるので、そのような手間と注意力が必要な器具は、到底採用されない。
【０００７】
【発明が解決しようとする課題】
本願発明が解決しようとする課題は、一体形クリップで、しかも茎と誘引用紐に対する取り付け作業が非常に容易な植物茎誘引用クリップを提供することにある。
【０００８】
【課題を解決するための手段】
前記課題を解決するため、本発明の植物茎誘引用クリップは、茎を支持する半円状の茎支持部をそれぞれ有する第１挟持片と第２挟持片をヒンジ部で連結し、前記第１挟持片と第２挟持片の先端に両挟持片を閉じた状態で保持するロック部を形成した植物茎誘引用クリップにおいて、前記第１挟持片および第２挟持片の基部に、誘引紐をコ字状に曲げた状態で締め付ける内側紐挟み部および外側紐挟み部をそれぞれ形成したことを特徴とする。
この植物茎誘引用クリップにおいて、前記内側紐挟み部および外側紐挟み部の長さはほぼ第１挟持片および第２挟持片の茎支持部の長さと同程度とする。
前記第１挟持片と第２挟持片の茎支持部の外側にそれぞれ指が滑りにくくするための摘み部を形成する。
前記外側紐挟み部の表面に滑り止めを形成する。
前記内側紐挟み部と外側紐挟み部をそれぞれ上下２枚の板状の構成部で形成し、前記上下の板状の構成部に空隙部を設けて各板の厚み方向に撓むことができるようにする。
【０００９】
【発明の実施の形態】
以下、本発明の実施の形態を、図面に示す実施例に基づいて説明する。
図１は本発明の実施例を示す平面図、図２（ａ）は正面図、（ｂ）は（ａ）のＡ−Ａにおける断面図である。図において、１は茎支持部１ａを有する第１挟持片、２は茎支持部２ａを有する第２挟持片、３は両挟持片１，２を屈曲自在に連結している薄肉のヒンジ部である。第１挟持片１の基部には、内側紐挟み部１ｂが形成されており、また第２挟持片２の基部には、外側紐挟み部２ｂが形成されている。第１挟持片１の先端部には係合突起１ｄを有する可撓性のロック部１ｃが形成されており、また第２挟持片２の先端部には、ロック部１ｃが貫通する開口２ｃと係合突起１ｄが係合する係合部２ｄが形成されている。また内側紐挟み部１ｂと外側紐挟み部２ｂの基端部側には、紐がそれ以上内側に入らないようにヒンジ部３を保護するための爪１ｅ、２ｅが形成されている。なお、内側紐挟み部１ｂと外側紐挟み部２ｂはそれぞれ上下２枚の板状の構成部からなっており、それぞれ空隙部１ｆ，２ｆを有しており、前者は内側に撓むことができ、後者は外側に撓むことができるようになっていて、紐の径が細くても太くても紐を挟み付けることができるようになっている。なお、１ｇ，２ｇは第１挟持片１と第２挟持片２を折り曲げるときの持ち易さのために形成した摘み部である。また、外側紐挟み部２ｂの外側は、作業をするときに持ち易くするために滑り止めを付けている。また、ロックを外すときに指で押さえやすいようにロック部勾配部１ｈをくぼませている。
【００１０】
ロックを押して外すときに茎支持部１ａ，２ａの半円部が曲がったりせずにロック部１ｃの曲がりだけで外せるようにしている。また茎支持部１ａ，２ａの半円部の変形やずれによりロックが作業中等に簡単に外れないように舌片１ｊがある。
【００１１】
爪１ｅ，２ｅは、紐を挟んで茎を誘引したときに茎の自重でヒンジ部に紐が掛かりヒンジ部に無理が掛からないように、ヒンジ部を保護するものであるが、また紐を挟んでヒンジ部を折り曲げるときにヒンジ部が中央から曲がり、ロック部が確実にロックするようにするための位置決め機構でもある。
【００１２】
さらに、誘引した茎がクリップの茎支持部１ａ，１ｂの内側で傷を付けないようにアールを付けている。
【００１３】
図３は本実施例の紐誘引用クリップを用いて作業をする状態の工程図である。（ａ）は本紐誘引用クリップを図１の状態から親指と人差し指または中指で摘み部１ｇ，２ｇを持って折り曲げて紐４と茎５を挟もうとしている状態である。紐誘引用クリップは自然状態では開こうとする復元力が働くので、片方の手の指で摘み部１ｇ，２ｇを適当な角度で挟むことにより、片手で操作することができる。もう一方の手で、茎５と紐４を支持して、茎５が茎支持部１ａ，２ａの間に位置するように、また紐４が内側紐挟み部１ｂと外側紐挟み部２ｂの間のどこかに位置するようにして摘み部１ｇ，２ｇを挟み込むと、図３（ｂ）に示すように茎５は茎支持部１ａ，２ａに挟まれ、紐４は内側紐挟み部１ｂと外側紐挟み部２ｂの間に挟み込まれる。さらに摘み部１ｇ，２ｇを挟み込むと、ロック部１ｃが開口２ｃの内部に入り込み、最終的には係合突起１ｄが係合部２ｄと係合し、指を離しても係合状態が保持される。本紐誘引用クリップを外すときは、ロック部１ｃの先端部を押して係合突起１ｄが係合部２ｄから離れるようにすれば、ヒンジ部３の復元力で第１挟持片１と第２挟持片２が開き、茎５と紐４を外すことができる。
【００１４】
なお、紐４を強く引っ張ると紐４は内側紐挟み部１ｂと外側紐挟み部２ｂの間で横方向にある程度動くが、図３（ｄ）に示すように爪１ｅ，２ｅによってヒンジ部３に達するのを防止されているので、薄肉のヒンジ部３を紐４が引っ張って切断するのを保護することができる。
【００１５】
図３（ｃ）のＢ−Ｂ断面図を図４に示す。同図に示されているように、内側紐挟み部１ｂと外側紐挟み部２ｂはそれぞれ上下２枚の板状の構成部からなっており、それぞれ空隙部１ｆ，２ｆを有しており、前者は内側に撓むことができ、後者は外側に撓むことができるようになっていて、紐の径が細くても太くても紐を挟み付けることができるようになっている。
【００１６】
【発明の効果】
上述したように、本発明によれば下記の効果を奏する。
（１）大幅なコストダウンが図れる。
図５および図６に示す従来の紐誘引用クリップは、複数の部品を組み立て１つの商品となっており、コストが高いが、本発明のクリップは一体成型であるために、部品と組立が一切不要である。
【００１７】
（２）紐の径（太さ）がまちまちであっても、確実に誘引ができる。
図５および図６に示す従来のクリップは、紐を指定して販売している。誘引時に径の太い紐を使った場合、茎挟み部の先端に隙間ができ完全に閉まらなかったり、また紐自体を挟むことができないことがある。
本発明のクリップは、誘引用紐の径がまちまちであっても紐挟み部を弾力性を持たせる構成としているので、紐を確実に噛み込んでいく。また、ロック部が茎挟み部の先端にあり、ロックするので、誘引用紐の径が太くなっても、従来品のように茎挟み部が開いたままで隙間ができることはない。
【００１８】
（３）一般的な紐誘引以外の誘引方法にも対応できる。
本発明品は、紐挟み部の長さが長いために、一般的な紐誘引方法以外に、横紐と茎が交叉するような場所の横紐と茎を挟んで誘引することもできる。従来例のクリップでは、幅広紐等の場合は対応できない。
【００１９】
（４）茎を傷つけることがない。
従来品は誘引中、茎が太く育ち、クリップを取り外すときに茎挟み部の開口部が全開にならないために、無理に取り外すと茎を傷つけることがあった。また、ときには茎からクリップを外すときに茎を折ったり枝を折り、茎の細いところから取り外すこともあった。本発明のクリップは、第１および第２挟持片が茎挟み部の内径より広く、全開になるためにクリップを径から取り外すときに茎を傷つけることがない。
【００２０】
（５）図７および図８の一体形クリップでは、爪がヒンジ部を塞ごうとしており、その隙間が細いので、紐を爪の内側に入れ込むのに細心の注意が必要であり、特に高齢者には負担が多いが、本発明の紐挟み部は充分長いので、紐を挟む動作が容易にでき、楽に短時間に作業ができる。
【図面の簡単な説明】
【図１】  本発明の実施例を示す平面図である。
【図２】  （ａ）は本発明の実施例を示す正面図、（ｂ）は（ａ）のＡ−Ａにおける断面図である。
【図３】  本実施例の紐誘引用クリップを用いて作業をする状態の工程図である。
【図４】  図３（ｃ）のＢ−Ｂ断面図である。
【図５】  従来例を示す斜視図である。
【図６】  図５の従来例の使用状態を示す斜視図である。
【図７】  一体形クリップの従来例を示すもので、（ａ）は平面図、（ｂ）は正面図である。
【図８】  図７の従来例の操作状態を示す平面図である。
【符号の説明】
１  第１挟持片、１ａ  茎支持部、１ｂ  内側紐挟み部、１ｃ  ロック部、１ｄ係合突起、１ｅ  爪、１ｆ  空隙部、１ｇ  摘み部、１ｈ  勾配部、２  第２挟持片、２ａ  茎支持部、２ｂ  外側紐挟み部、２ｃ  開口、２ｄ  係合部、２ｅ  爪、２ｆ  空隙部、２ｇ  摘み部、３  ヒンジ部
【図１】
0004251693.tif 000002
【図２】
0004251693.tif 000003
【図３】
0004251693.tif 000004
【図４】
0004251693.tif 000005
【図５】
0004251693.tif 000006
【図６】
0004251693.tif 000007
【図７】
0004251693.tif 000008
【図８】
0004251693.tif 000009